(57)【要約】【課題】  非常灯等の電気装置のケーブルが捩れることなく、簡単な構成として安価で小型に構成できると共に、静音駆動を行える回動歯車構造、及び該回動歯車構造を備えた光源装置を実現する。【解決手段】  回動歯車構造は、回動自在に配設されたウォームホイール６０と、ウォームホイールを回動するウォームギヤ１５ａを備えた駆動部１５と、ウォームホイールの回動軸から偏芯した板面位置に配設された電気装置４１と、ウォームホイールの回動軸近傍位置まで延出して、電気装置のケーブルを回動軸近傍位置で結束するケーブル結束部４８を備えると共に、電気装置を上記板面位置で固定する固定部４７と、を具備する。【選択図】図３
2009189495.tif 000002
【特許請求の範囲】
【請求項１】
回動自在に配設されたウォームホイールと、
該ウォームホイールを回動するウォームギヤを備えた駆動部と、
上記ウォームホイールの回動軸から偏芯した板面位置に配設された電気装置と、
上記ウォームホイールの回動軸近傍位置まで延出して、上記電気装置のケーブルを該回動軸近傍位置で結束するケーブル結束部を備えると共に、該電気装置を上記板面位置で固定する固定部と、
を具備することを特徴とする回動歯車構造。
【請求項２】
上記ウォームホイールが合成樹脂から形成され、外周に上記ウォームギヤに噛合するギヤ溝を備えた第１の円板部材と、該第１の円板部材に重合する金属から形成された第２の円板部材と、を有し、
上記ウォームギヤが合成樹脂から形成されていることを特徴とする請求項１に記載の回動歯車構造。
【請求項３】
上記ウォームホイールに複数の光学フィルタが配設され、上記電気装置が非常灯ユニットである上記請求項１、又は上記請求項２に記載の回動歯車構造を具備する光源装置。
【請求項４】
上記第２の円板部材がメインランプに対向するように配設されていることを特徴とする請求項３に記載の光源装置。
【発明の詳細な説明】
【技術分野】
【０００１】
本発明は、電気装置を備えた回動自在な円板状の回動歯車構造であって、特に、該回動歯車構造を具備し、撮像部を有する医療機器に接続して、白色光による通常光観察の他に、狭帯域光、蛍光、赤外光等、多くの特殊光による特殊光観察を可能にする光源装置に関する。
【背景技術】
【０００２】
従来から、内視鏡は、体腔内に細長な挿入部を挿入することにより、食道、胃、小腸、大腸などの消化管の観察、或いは肺など気管の観察に利用されるとともに、内視鏡の挿入部に備えられている処置具チャンネル内に処置具を挿通して、各種、検査或いは治療処置が行われている。
【０００３】
内視鏡を用いて検査、組織採取、処置等を行う際、内視鏡周辺装置として照明光を供給する光源装置、内視鏡でとらえた被検部位の光学像を映像信号に生成するビデオプロセッサ等の制御装置、被検査部位の内視鏡画像を表示する表示装置等が使用される。
【０００４】
近年、内視鏡による診断では、観察部位のカラー画像を表示装置に表示させて観察する白色光による通常光観察に加えて、蛍光、赤外光、狹帯域光（ＮＢＩとも記載する）等を照明光にした特殊光観察が行われている。特殊光観察においては、例えば消化管表面の血管を目立たせて表示画面上に表示されるので、通常光観察では発見することの難しい癌の場所、大きさ等、又は腫瘍が癌であるのか前癌状態であるか等の判断が可能になる。
【０００５】
このため、光源装置では、照明光として通常光観察を行うための白色光の他に、特殊光観察である蛍光観察を行うための蛍光、赤外光観察を行うための赤外光、ＮＢＩ観察を行うためのＮＢＩ等、複数種類の照明光を切替えて出射できるものがある。これら複数種類の観察光の切替えには、白色光を各照明光に変換する複数の特殊光フィルタを備え、所定の特殊光フィルタを回動して照明光の光路上に配置させる円板状のターレットが用いられている。
【０００６】
ところで、このような光源装置は、光源ランプであるメインランプにキセノンランプが用いられており、このキセノンランプの寿命、故障等による消灯時に備えて非常灯が設けられているのが一般的である。
【０００７】
例えば、特許文献１には、光源ランプの故障等の際に、非常灯を光源ランプの光路上に移動させる技術が開示されている。また、例えば、特許文献２には、非常灯からの照明光をターレットに設けたミラーを介して、光源ランプの光路上に出射する光源装置が開示されている。
【特許文献１】特開昭５８−７５５２２号公報
【特許文献２】特開平１−２５７９１０号公報
【発明の開示】
【発明が解決しようとする課題】
【０００８】
しかしながら、特許文献１の光源装置では、非常灯を照診ランプの光路上へ移動するための構造が非常に複雑となってしまいコスト高となってしまうという課題があった。非常灯を駆動する機構を装置内に配設するスペースが必要となり、装置の小型化を阻害するという問題もあった。
【０００９】
また、ターレット上に非常灯を直接設けている場合では、非常灯を取り外そうとすると、ターレットを支持している支柱に非常灯ケーブルを留めている部材も取り外す必要があり、取り外す際の作業が煩雑であった。
【００１０】
さらに、特許文献２の光源装置においては、ターレットに設けるミラーの角度調整が難しいばかりか、ミラーの角度調整のためのメンテナンスを常に行わなければならないという問題があった。この特許文献２の光源装置においても、非常灯をターレットから所定の距離に離間させた装置内の所定の位置に配設するスペースが必要となり、装置の小型化を阻害するという問題がある。
【００１１】
ところで、このような従来技術の光源装置は、上記ターレットが１つである場合、回動中心にモータ等の駆動部を設けて、該ターレットの回動制御を行う構成となっている。しかし、近年の光源装置には、種々の特殊観察用の照明光を照射できるように、ターレットが同一回動軸上に２つ並設されているものがある。
【００１２】
このようにターレットを同一回動軸上に２つ設けた場合、各ターレットの回動中心にモータ等の駆動部を設けるスペースが限られてしまうため、各ターレットをウォームホイールとして、個別のウォームギヤにより回動駆動させる光源装置がある。このような従来の光源装置は、金属製のターレットと金属製のウォームギヤとの歯車機構が擦れて、不快な駆動音を発生するという問題があった。
【００１３】
そこで、本発明は、上記事情に鑑みて成されたものであって、簡単な構成として、非常灯等の電気装置のケーブルが捩れることなく、安価となると共に、静音駆動を行える回動歯車構造、及び該回動歯車構造を備えることで小型となる光源装置を提供することを目的としている。
【課題を解決するための手段】
【００１４】
上記目的を達成すべく、本発明の回動歯車構造は、回動自在に配設されたウォームホイールと、該ウォームホイールを回動するウォームギヤを備えた駆動部と、上記ウォームホイールの回動軸から偏芯した板面位置に配設された電気装置と、上記ウォームホイールの回動軸近傍位置まで延出して、上記電気装置のケーブルを該回動軸近傍位置で結束するケーブル結束部を備えると共に、該電気装置を上記板面位置で固定する固定部と、を具備することを特徴とする。
【発明の効果】
【００１５】
本発明によれば、非常灯等の電気装置のケーブルが捩れることなく、簡単な構成として安価で小型に構成できると共に、静音駆動を行える回動歯車構造、及び該回動歯車構造を備える光源装置を実現することができる。
【発明を実施するための最良の形態】
【００１６】
以下、図面を参照して本発明の実施の形態を説明する。  
図１から図１４は、本発明の一実施形態に係り、図１は内視鏡装置の構成を説明するブロック図、図２は光源装置の天板を取り外した図であって、光源装置の内部構成を説明する図、図３はさらにフロントパネルを取り外した図であって、照明周りの構成を説明する図、図４は第１回転板の構成を説明する図、図５は第２回転板の構成を説明するための図、図６は第１回転板、及び第２回転板を構成する第１の円板部材と第２の円板部材を説明するための図、図７は第１回転板、及び第２回転板がウォームギヤにより回動する状態を示す図、図８は第１回転板に非常灯ユニットが配置される状態を示す分解斜視図、図９は第１回転板に非常灯ユニットが配置された状態を示す図、図１０は第１の観察光切替用回転装置、及び第２の観察光切替用回転装置を示す斜視図、図１１は第１の観察光切替用回転装置、及び第２の観察光切替用回転装置を示す側面図、図１２は第１の観察光切替用回転装置の回動を説明するための図、図１３は図１２から所定の角度で回転した状態の第１の観察光切替用回転装置を示す図、図１４は天板を取り外した光源装置を上方から見た模式図、図１５は図１４の光源装置の横方向の部分断面図である。
【００１７】
図１に示す本実施形態の光源装置２は、内視鏡３の外部装置であって、さらに外部装置であるビデオプロセッサ４と、ＬＣＤ等の表示装置５と、を備えて内視鏡システム１として構成される。
【００１８】
内視鏡３には、照明光学系３１、観察光学系３２が設けられている。照明光学系３１は、ライトガイドファイバ３１ａ、照明用レンズ群３１ｂを備えて構成されている。観察光学系３２は、観察用レンズ群３２ａ、撮像手段としてＣＣＤ等の撮像素子３２ｂを備えている。
【００１９】
内視鏡３には、光源装置２のソケット２６に着脱自在に接続される内視鏡コネクタ３３が設けられている。内視鏡コネクタ３３の側部からは、例えば電気ケーブル３４が延出しており、ビデオプロセッサ４に接続される。
【００２０】
内視鏡３の挿入部３５の基端には、操作部３６が設けられている。この操作部３６には、各種ボタン３６ａ、３６ｂ、３６ｃ、３６ｄが設けられている。ボタン３６ａは、送気送水ボタンであり、ボタン３６ｂは吸引ボタンであり、ボタン３６ｃはフリーズスイッチであり、ボタン３６ｄはレリーズスイッチである。  
なお、内視鏡コネクタ３３は、操作部３６から延出しているユニバーサルコード３７の基端部に設けられている。
【００２１】
ビデオプロセッサ４は、内部に駆動回路（不図示）、信号処理回路（不図示）、調光回路（不図示）等を備える。駆動回路は、内視鏡３の観察光学系３２に設けられている撮像素子３２ｂを駆動する駆動信号を出力する。信号処理回路は、撮像素子３２ｂにより光電変換されて伝送された画像信号を表示装置５に対応する映像信号に生成して出力する。調光回路は、撮像素子３２ｂから伝送される画像信号に基づき画像が適正な明るさとなるように後述する光源装置２の制御部２１に絞り羽根ユニット２５の絞り位置を調整する調光信号を出力する。  
表示装置５の画面上には、ビデオプロセッサ４で生成された映像信号に基づく内視鏡画
像が表示される。
【００２２】
図１、図２に示すように、本実施の形態の光源装置２は、制御部２１と、電源部２２と、送気送水装置２３と、光源ランプ（以下、メインランプと略記する）２４と、絞り羽根ユニット２５と、複数の観察光切替用回転装置（以下、回転フィルタユニットと略記する）６、７、８、９と、集光装置１０とを備えて構成されている。
【００２３】
集光装置１０は、レンズ保持台１１に複数のレンズ１２を配設して構成されている。回転フィルタユニット６、７、８、９は、メインランプ２４側から集光装置１０に向かって第１の回転フィルタユニット６、第２の回転フィルタユニット７、第３の回転フィルタユニット８、第４の回転フィルタユニット９の順に配置されている。  
なお、制御部２１は、制御基板２８であり、メインランプ２４は筐体であるランプシールドケース２９内に配設されている（図２参照）。
【００２４】
本実施形態において、第１の回転フィルタユニット６のターレットを構成する第１回転板６０と第２の回転フィルタユニット７のターレットを構成する第２回転板７０とが同一回動軸上にて、対峙して並設されている。また、第３回転フィルタユニット８の第３回転板８ａと第４回転フィルタユニット９の第４回転板９ａとは対峙して並設されている。
【００２５】
そして、第１回転板６０、及び第２回転板７０は、後述する光学フィルタの何れか１つを照明光路（以下、光路と略記する）中に配置された状態で停止制御される。これに対して、第３回転板８ａ、及び第４回転板９ａは、光路中に配置された状態において回転制御され、光路から外れた状態において停止制御される。
【００２６】
第３回転板８ａ、及び第４回転板９ａは、レンズ保持台１１に設けられた回転板配設空間部に挿抜自在に構成されている。レンズ保持台１１に絞り配設空間部が設けられており、この絞り配設空間部に絞り羽根ユニット２５が配設される。
【００２７】
なお、符号２９ａは出射開口であって、ランプシールドケース２９の前面２９ｆの所定位置に形成されている。メインランプ２４が点灯状態のとき、照明光は、出射開口２９ａからソケット２６方向に向かって出射されていく。前面２９ｆの出射開口２９ａ近傍の所定位置には放熱部である複数のフィン４５ａを備えた、例えばアルミニウム、ステンレス鋼の熱吸収部材である金属で形成された吸熱部４５が取り付けられている。
【００２８】
光源装置２のフロントパネル２ｆには、ソケット２６、及び操作パネル２７が備えられている。操作パネル２７には、電源スイッチ２７ａ、非常灯用表示部２７ｂ、ランプ制御設定表示部２７ｃ、照明モード設定部２７ｄ、照明モード表示部２７ｅ等が設けられている。
【００２９】
電源スイッチ２７ａは、例えば破線に示す位置から実線に示す位置に押し込むことによってオン状態になって、光源装置２に電力を供給する。
【００３０】
非常灯用表示部２７ｂは、メインランプ２４が切れて非常灯に切り替えられたときに点灯する。また、非常灯表示部は、該非常灯が切れている、外れている、装着されていない等の不具合があるときには点滅する。
【００３１】
ランプ制御設定表示部２７ｃには、ランプオンオフスイッチ等が設けられている。ランプオンオフスイッチは、電源スイッチ２７ａがオンのときに、メインランプ２４をオンオフ操作するためのスイッチである。
【００３２】
照明モード設定部２７ｄには複数の照明モードを選択するためのスイッチが設けられている。照明モード表示部２７ｅは照明光学系に供給される観察光の種類、即ち、メインランプ２４の光路中に配置されている光学フィルタをユーザに告知する。
【００３３】
次に、光源装置２の具体的な構成を以下に説明する。  
図１に示す光源装置２の制御部２１は、各回転フィルタユニット６、７、８、９及び絞り羽根ユニット２５に電源を供給するとともに、各回転フィルタユニット６、７、８、９に設けられた各モータ１６、１７、８ｂ、８ｄ、９ｂ、９ｄ、絞り羽根ユニット２５に設けられたモータ２５ｃ、及び送気送水装置２３内のポンプ（不図示）をそれぞれ駆動制御する。
【００３４】
制御部２１から出力された出力電圧は、電源安定装置である図示しないスイッチングレギュレータによって直流電圧に変換され、メインランプ２４、及び後述する非常灯ユニット４１に供給されるようになっている。メイン光源ランプであるメインランプ２４は、例えばキセノンガス中の放電を利用したキセノンランプである。このキセノンランプのスペクトルは、自然太陽光に近似している。また、キセノンランプから出射される照明光には熱源となる赤外光が含まれている。
【００３５】
次に、第１の回転フィルタユニット６、及び第２の回転フィルタユニット７を説明する。  
回転フィルタユニット６、７は、それぞれ後述するウォームホイールとなる円板部材と、駆動モータと、回転位置検出装置とを備えて構成されている。また、円板部材は、後述する光を遮光する部材で形成されている。
【００３６】
図１、図３、図４に示すように第１回転フィルタユニット６は、ウォームホイールとなる円板部材を構成する第１回転板６０と、第１回転位置検出装置（以下、第１回転検出装置と略記する）１７と、駆動部である第１駆動モータ１５と、を備えている。第１駆動モータ１５の駆動軸には例えばウォームギヤ１５ａが設けられている。
【００３７】
この第１回転フィルタユニット６は、硬質な合成樹脂から形成されたウォームギヤ１５ａの回転に伴って、ウォームホイールを構成する第１回転板６０が時計回り、反時計回りに最大で１回転に回動される構成になっている。第１回転検出装置１７は、位置検知基板（不図示）を備えるポテンショメータである。尚、制御部２１は、第１回転検出装置１７から出力される回転位置に対応する電圧を検出するまでの間、第１駆動モータ１５に駆動信号を出力する。
【００３８】
図４に示すように第１回転板６０には、回転軸（不図示）が配置される軸受部８５と、複数の開口部８４とを備えている。本実施形態において、複数の開口部８４は、例えば、周方向に等間隔で６つ設けられている。これら開口部８４には電気装置である非常灯ユニット４１の他に、光学フィルタ（以下、フィルタと略記する）５１〜５４、及びスルーホール４３、即ち、フィルタの設けられていない貫通孔が設けられる。これらフィルタ５１〜５４は、非常灯ユニット４１を基準にして、例えば時計回りに、反射フィルタ５１、赤外線透過フィルタ５２、第１の蛍光用観察光透過フィルタ（以下、蛍光フィルタと略記する）５３、第２蛍光フィルタ５４である。
【００３９】
反射フィルタ５１は、照明光中に含まれている不要な熱源である赤外光が内視鏡に供給されることを防止する、言い換えれば赤外光を反射させるフィルタであって、円筒状のフィルタ取付部材５０を介して、所定の開口部８４に取り付けられるようになっている。赤外線透過フィルタ５２は、特殊光観察の１つである赤外光観察を行うためのフィルタである。
【００４０】
第１蛍光フィルタ５３、及び第２蛍光フィルタ５４は、特殊光観察の１つである蛍光観察を行うためのフィルタである。これらフィルタ５２〜５４は、フィルタ固定環４２を介して所定の開口部８４に取り付けられるようになっている。尚、本実施の形態において、第１の回転フィルタユニット６は、非常灯ユニット４１に設けられる電気装置である非常用ランプ４６（図８、及び図９参照）を備えた回動歯車構造となっている。
【００４１】
図１、図３、図５に示すように第２回転フィルタユニット７は、ウォームホイールとなる円板部材を構成する第２回転板７０と、駆動部を構成する第２駆動モータ１６と、第２回転位置検出装置（以下、第２回転検出装置と略記する）１８とを備えている。第２駆動モータ１６の駆動軸にはウォームギヤ１６ａが設けられており、硬質な合成樹脂から形成されたウォームギヤ１６ａの回転に伴って、ウォームホイールを構成する第２回転板７０が回動される構成になっている。
【００４２】
第２回転検出装置１８は、第１回転検出装置１７と同様なポテンショメータである。制御部２１は、第２回転検出装置１８から出力される回転位置に対応する電圧を検出するまでの間、第２駆動モータ１６に駆動信号を出力する。なお、符号４４はモータケースであって、モータケース４４内にモータ１５、１６が固設されている。
【００４３】
図５に示すように第２回転板７０には、回動軸が接続される軸受部（不図示）と、例えば、第１回転板６０と同様に、周方向に等間隔で６つの開口部８４が設けられている。これら開口部８４の１つはスルーホール４３、即ち、光学フィルタの設けられていない貫通孔である。そして、各開口部８４には、スルーホール４３を基準にして、例えば時計回りに光学フィルタ５５〜５９が配設されている。フィルタ５５は例えば、狭帯域用観察光透過フィルタ｛以下、ＮＢＩ(Ｎａｒｒｏｗ  Ｂａｎｄ  Ｉｍａｇｉｎｇ)フィルタと記載する｝であり、フィルタ５６は特殊光観察の１つである紫外光観察を行うための紫外線透過フィルタであり、フィルタ５７〜５９は他の特殊光観察を行うための光学フィルタである。なお、各フィルタ５５〜５９は、第１回転板６０と同様に、フィルタ固定環４２を介して所定の開口部８４に取り付けられるようになっている。
【００４４】
以上のように構成された、第１回転板６０、及び第２回転板７０は、図６、及び図７に示すように、夫々が２枚の円板部材８１，８２が重ね合わせて構成されたウォームホイールとなる円板部材である。  
具体的には、硬質な合成樹脂から形成された第１の円板部材８１、及び例えば、アルミニウム、ステンレス鋼の耐熱性のある金属から形成された第２の円板部材８２が複数のビス８３により重ね合わせた重畳状態で固定される。
【００４５】
尚、第１の円板部材８１のみ、外周部にギヤ溝８１ａが形成されている。また、第２の円板部材８２は、第１の円板部材８１のギヤ溝８１ａを覆うことがないように、第１の円板部材８１よりも外径が若干小さく設定されている。
【００４６】
これら円板部材８１，８２の夫々には、上述した６つの開口部８４を重なり合って構成する６つの孔部８４ａ，８４ｂが周方向に等間隔で形成されている。つまり、第１の円板部材８１と第２の円板部材８２は、重ね合わされ、各孔部８４ａ，８４ｂが一致するように互いが固定される。また、第１の円板部材８１の中心には、上述の軸受部８５が突出して設けられており、この軸受部８５に挿嵌して中心位置決めのための孔部８５ｂが第２の円板部材８２の中心に形成されている。
【００４７】
以上のように構成された第１回転板６０、及び第２回転板７０は、第１の円板部材８１が合成樹脂により形成されているため、ギヤ溝８１ａに噛合するウォームギヤ１５ａ，１６ａの駆動力が伝達されて回動するとき、ギヤ溝８１ａとウォームギヤ１５ａ，１６ａが噛み合うことで、従来のような金属が擦れた不快な騒音を発生しない静音駆動が行える構成とすることができる。
【００４８】
また、第１回転板６０、及び第２回転板７０は、金属製の第２の円板部材８２を用いることで、合成樹脂により形成された第１の円板部材８１の強度不足を補い、所定の剛性を確保することができる。つまり、第１回転板６０、及び第２回転板７０は、上述したように不快な騒音を発生しないため、合成樹脂の第１の円板部材８１を用いている。
【００４９】
しかし、第１の円板部材８１は、金属に比して剛性が低いため、変形して回動精度が低下する。さらに、上述したように、第１回転板６０、及び第２回転板７０には、各種光学フィルタ５２〜５９が配設される。そのため、第１回転板６０、及び第２回転板７０は、合成樹脂の第１の円板部材８１のみでは強度不足となってしまう。
【００５０】
このような回動精度の低下、及び強度不足を防止するため、第１回転板６０、及び第２回転板７０は、第１の円板部材８１に金属製の第２の円板部材８２を重ね合わせた構成としている。また、このような構成とした第１回転板６０、及び第２回転板７０は、第１の円板部材８１の厚み方向の寸法も薄く形成することができる。これにより、第１回転板６０、及び第２回転板７０は、軽量となるばかりか、光源装置２の限られたスペース内に効率よく配設することができる。
【００５１】
また、本実施の形態の第１の回転フィルタユニット６は、上述したように、第１回転板６０に電気装置である非常灯ユニット４１が設けられる。  
この非常灯ユニット４１は、図８に示すように、リフレクタを備えたハロゲンランプ等の電気装置である非常灯を構成する非常用ランプ４６と、この非常用ランプ４６を第１回転板６０にビス等により固定するための固定部を構成する金属製の固定ブラケット４７と、この固定ブラケット４７に固定された金属製のケーブル結束部４８と、を有している。
【００５２】
非常用ランプ４６は、固定ブラケット４７に電気ケーブル４６ａが挿通した状態で、第１回転板６０の第２の円板部材８２側から所定の開口部８４に配置固定される。尚、非常用ランプ４６は、第１回転板６０の第１の円板部材８１側からも図示しない別の固定ブラケットにより固定されるものである。
【００５３】
また、固定ブラケット４７は、非常用ランプ４６を第１回転板６０に固定するとき、図９に示すように、ケーブル結束部４８が第１回転板６０の中心側、つまり軸受部８５側に延設するように配置される。尚、ケーブル結束部４８は、ビス等により固定ブラケット４７に固定されている。
【００５４】
ケーブル結束部４８は、延出端側の両側部が凹部状に形成されたバンド留部４８ａを有し、このバンド留部４８ａの位置で非常用ランプ４６の電気ケーブル４６ａがケーブルバンド４９により結束される。つまり、非常用ランプ４６の電気ケーブル４６ａは、ケーブル結束部４８に沿わされて、バンド留部４８ａの位置でケーブルバンド４９により結束される。
【００５５】
尚、第１回転板６０は、上述したように、金属製の第２の円板部材８２を有しているため、非常灯ユニット４１を設けても、十分に剛性が保たれた、強度不足となることのない構成となっている。
【００５６】
以上のように構成された本実施の形態の光源装置２は、第１の回転フィルタユニット６、及び第２の回転フィルタユニット７が図１０、及び図１１に示すように組みつけられる。  
第１の回転フィルタユニット６、及び第２の回転フィルタユニット７は、各回転板６０，７０の第２の円板部材８２がメイン光源であるメインランプ２４に対向するように、同一軸上で軸受部８５の中心回りに回動自在に並設される。
【００５７】
つまり、各回転板６０，７０は、夫々がモータ１５，１６のウォームギヤ１５ａ，１６ａによって、回動駆動されるとき、メインランプ２４からの強力な光が金属製の第２の円板部材８２の板面上にのみ照射される。そのため、各回転板６０，７０は、金属製で耐熱性のある第２の円板部材８２がメインランプ２４に対向するように配置されている。
【００５８】
これにより、各回転板６０，７０は、合成樹脂製の第１の円板部材８１へメインランプ２４からの強力な光が直接照射することがないため、この第１の円板部材８１がメインランプ２４の光の照射による熱で変形することが防止される。
【００５９】
また、本実施の形態の光源装置２は、図１０、及び図１１に示すように、第１の回転フィルタユニット６の第１回転板６０の中心から偏芯した位置に配設される非常灯ユニット４１の非常用ランプ４６が固定ブラケット４７により固定され、この非常灯ユニット４１の非常用ランプ４６の電気ケーブル４６ａが固定ブラケット４７に固定されたケーブル結束部４８により、第１回転板６０の中心近傍の位置で結束された回動歯車構造を備えている。
【００６０】
つまり、非常灯ユニット４１の非常用ランプ４６は、図１２、及び図１３に示すように、第１回転板６０が回動すると、回動軸が接続される軸受部８５回りの円軌道に沿って移動する。このとき、非常用ランプ４６から延出する電気ケーブル４６ａは、第１回転板６０が回動する如何なる状態においても、ケーブル結束部４８へ結束されているため、常に第１回転板６０の中心近傍の位置から延出する。
【００６１】
これにより、電気ケーブル４６ａは、第１回転板６０の回動に伴って、弛んだりして、メイン光源であるメインランプ２４の光路上に入ったり、他の部品に引っ掛かったりすることが防止される。また、第１回転板６０は、最大で１回転しか回動しないため、電気ケーブル４６ａが捩れない。
【００６２】
さらに、上述したような、非常灯ユニット４１が配設された第１回転板６０の構成において、従来からの第１の回転フィルタユニット６の構成では、第１回転板６０から離れた位置に電気ケーブル４６ａを回動中心付近で支持するケーブル支持台等を設ける必要があった。しかし、本実施の形態の第１の回転フィルタユニット６は、第１回転板６０にケーブル結束部４８を設けることで、上記ケーブル支持台等が不要であり、光源装置２内の限られたスペースに配置し易くなるばかりか、コストが低減し安価に製造できるという利点もある。
【００６３】
また、非常用ランプ４６の球切れ等による非常灯ユニット４１の交換時において、ユーザは、固定ブラケット４７を第１回転板６０から取り外すときに、電気ケーブル４６ａを固定ブラケット４７に固定されたケーブル結束部４８に結束したままの状態で取り外すことができる。これにより、電気ケーブル４６ａの結束を解くことなく、非常用ランプ４６の交換時に非常灯ユニット４１を容易に第１回転板６０から取り外すことができる。
【００６４】
以上の説明により、本実施の形態の光源装置２は、非常灯等の電気装置のケーブルが捩れてメインランプの光路上に入ることなく、簡単な構成として安価となる。また、光源装置２は、上述したように、第１の円板部材８１とウォームギヤ１５ａ，１６ａが合成樹脂により形成されている回動歯車構造のため、従来のような金属が擦れた不快な騒音を発生しない静音駆動が行える構成となる。さらに、光源装置２は、非常灯ユニット４１を第１の回転フィルタユニット６に設けた簡単な構成となっているため、この第１の回転フィルタユニット６の配置スペースが小さくでき、小型にすることができる。
【００６５】
ところで、本実施の形態の光源装置２は、図１４、及び図１５に示すように、筐体ベース２ａの底面に直線状の長孔９５が形成されている。この長孔９５ａは、内視鏡３の内視鏡コネクタ３３がソケット２６に接続された状態において、内視鏡３のライトガイドファイバ３１ａの中心にメインランプ２４の光軸Ｏが一致するように各ベースを位置決めするためのものである。
【００６６】
詳述すると、メインランプ２４のランプベース９１には、メインランプ２４の光軸Ｏが内視鏡３のライトガイドファイバ３１ａの中心に一致するように、筐体ベース２ａに形成された長孔９５に嵌挿する板状の突起部９１ａが設けられている。
【００６７】
また、第１、及び第２の回転フィルタユニット６、７を回動保持する第１のフィルタベース９２には、第１、及び第２の回転フィルタユニット６、７の所定の位置にメインランプ２４の光軸Ｏが通過するように、筐体ベース２ａに形成された長孔９５に嵌挿する板状の突起部９２ａが設けられている。
【００６８】
さらに、各レンズ１２を保持するレンズ保持台１１には、各レンズ１２の中心位置にメインランプ２４の光軸Ｏが通過するように、筐体ベース２ａに形成された長孔９５に嵌挿する板状の突起部１１ａが設けられている。
【００６９】
そして、第３、及び第４の回転フィルタユニット８、９を回動保持する第２のフィルタベース９３には、第３、及び第４の回転フィルタユニット８、９の所定の位置にメインランプ２４の光軸Ｏが通過するように、筐体ベース２ａに形成された長孔９５に嵌挿する板状の突起部９３ａが設けられている。
【００７０】
このように、本実施の形態の光源装置２は、メインランプ２４の光軸Ｏが内視鏡３のライトガイドファイバ３１ａの中心に一致するように形成された長孔９５に嵌挿する各ベース９１〜９３、及びレンズ保持台１１の夫々に突起部９１ａ〜９３ａ，１１ａを設けて、上記光軸Ｏに沿った方向の位置決めを容易に行える構成としている。
【００７１】
その結果、光源装置２は、各ベース９１〜９３、及びレンズ保持台１１をメインランプ２４の光軸Ｏが内視鏡３のライトガイドファイバ３１ａの中心に一致する位置に精度良く配置固定することができる。
【００７２】
以上に記載した発明は、上述の実施の形態に限ることなく、その他、実施段階ではその要旨を逸脱しない範囲で種々の変形を実施し得ることが可能である。さらに、上述の実施形態には、種々の段階の発明が含まれており、開示される複数の構成要件における適宜な組合せにより種々の発明が抽出され得る。
【００７３】
例えば、上述の実施の形態に示される全構成要件から幾つかの構成要件が削除されても、発明が解決しようとする課題が解決でき、述べられている発明の効果が得られる場合には、この構成要件が削除された構成が発明として抽出され得る。
【図面の簡単な説明】
【００７４】
【図１】本発明の一実施の形態に係る内視鏡装置の構成を説明するブロック図。
【図２】同、光源装置の天板を取り外した図であって、光源装置の内部構成を説明する図。
【図３】同、さらにフロントパネルを取り外した図であって、照明周りの構成を説明する図。
【図４】同、第１回転板の構成を説明する図。
【図５】同、第２回転板の構成を説明するための図。
【図６】同、第１回転板、及び第２回転板を構成する第１の円板部材と第２の円板部材を説明するための図。
【図７】同、第１回転板、及び第２回転板がウォームギヤにより回動する状態を示す図。
【図８】同、第１回転板に非常灯ユニットが配置される状態を示す分解斜視図。
【図９】同、第１回転板に非常灯ユニットが配置された状態を示す図。
【図１０】同、第１の観察光切替用回転装置、及び第２の観察光切替用回転装置を示す斜視図。
【図１１】同、第１の観察光切替用回転装置、及び第２の観察光切替用回転装置を示す側面図。
【図１２】同、第１の観察光切替用回転装置の回動を説明するための図。
【図１３】同、図１２から所定の角度で回転した状態の第１の観察光切替用回転装置を示す図。
【図１４】同、天板を取り外した光源装置を上方から見た模式図。
【図１５】同、図１４に示した光源装置の横方向の部分断面図。
【符号の説明】
【００７５】
１…内視鏡システム
２…光源装置
２ａ…筐体ベース
３…内視鏡
４…ビデオプロセッサ
５…表示装置
６…第１の観察光切替用回転装置
６ａ…第１回転板
７…第２の観察光切替用回転装置
７ａ…第２回転板
１０…集光装置
１１…レンズ保持台
１２…レンズ
１５ａ，１６ａ…ウォームギヤ
１５，１６…駆動モータ
２１…制御部
２４…メインランプ
２９…ランプシールドケース
２９ａ…出射開口
４１…非常灯ユニット
４６ａ…電気ケーブル
４６…非常用ランプ
４７…固定ブラケット
４８…ケーブル結束部
４８ａ…バンド留部
４９…ケーブルバンド
５２〜５９…光学フィルタ
６０…第１回転板
７０…第２回転板
８１ａ…ギヤ溝
８１…第１の円板部材
８２…第２の円板部材
８３…ビス
８４…開口部
８４ａ，８４ｂ…孔部
８５…軸受部
【図１】
2009189495.tif 000003
【図２】
2009189495.tif 000004
【図３】
2009189495.tif 000005
【図４】
2009189495.tif 000006
【図５】
2009189495.tif 000007
【図６】
2009189495.tif 000008
【図７】
2009189495.tif 000009
【図８】
2009189495.tif 000010
【図９】
2009189495.tif 000011
【図１０】
2009189495.tif 000012
【図１１】
2009189495.tif 000013
【図１２】
2009189495.tif 000014
【図１３】
2009189495.tif 000015
【図１４】
2009189495.tif 000016
【図１５】
2009189495.tif 000017